(57)【要約】      （修正有）【課題】各刷毛どうしを各辺面で密接させることで刷毛どうしの接触抵抗を格段に高め、以って洗浄作業中に各刷毛が植毛穴や針金間から抜け落ちることを確実に防止可能にする洗浄ブラシを提供する。【解決手段】断面三角形の刷毛が複数本を一組として、各刷毛の辺面どうしが当接するように束ねられ、その束ねられた刷毛束の一部が刷毛取り付け対象の取付部に圧入または緊縛によって固着された構成である。【選択図】図１
0003165373.tif 000002
【実用新案登録請求の範囲】
【請求項１】
断面三角形で長尺に成形された強靭性・弾力性の高い合成樹脂製の刷毛を複数本揃えて一組とし、かつ各刷毛の辺面どうしが当接する形で結束し、その刷毛束の一部が刷毛取り付け対象の取付部に圧入または緊縛によって固着されていることを特徴とする洗浄ブラシ。
【請求項２】
前記刷毛取り付け対象の取付部は、刷毛植設台に形成されて、前記刷毛束の基部を圧入状態にて植設可能にする植毛穴であることを特徴とする請求項１に記載の洗浄ブラシ。
【請求項３】
前記刷毛取り付け対象が、前記刷毛束の中央部付近を挟圧保持するように撚り合わされた複数本の針金であることを特徴とする請求項１記載の洗浄ブラシ。
【考案の詳細な説明】
【技術分野】
【０００１】
本考案は、調理工場、各種厨房等において、弁当箱、食器類或いは食品収納容器等を洗浄するのに用いる洗浄ブラシに関するものである。
【背景技術】
【０００２】
従来から、惣菜や弁当などの食品を収納して販売するための食品収納容器は、これらの食品を収納する前に洗浄される。食器や食品収納容器の洗浄には合成樹脂製の刷毛を埴設したブラシが使用されていた（例えば、特許文献１を参照）。
【０００３】
合成樹脂製の刷毛からなる洗浄ブラシは、刷毛自体が強靭かつ弾力性に富み、更に寿命が長いため、食器や食品収納容器の洗浄に広く用いられている。この合成樹脂製の刷毛は前述のように強靭で劣化が進み難いので、洗浄作業中に折れるなどして食器に付着したり、弁当箱内に残留したりする頻度が極めて少ない。特に洗浄作業における異物の検査を徹底することでその刷毛の付着や残留をほぼ無くすることができる。
【０００４】
従って、食器に載せられた食品や食品収納容器に収納された食品の中に、その刷毛が異物として混入することを確実に回避することができる。この結果、この刷毛の食品への混入による不衛生感、嫌悪感を排除でき、食品販売者や食品提供者に対する信頼度が損なわれることを回避することができる。
【先行技術文献】
【特許文献】
【０００５】
【特許文献１】特開２００８−３０７２６４号公報
【考案の概要】
【考案が解決しようとする課題】
【０００６】
しかしながら、合成樹脂を素材とする刷毛からなる洗浄ブラシは、複数本の刷毛を束ねた刷毛束の基部が、取付台に形成された複数の植毛穴内に圧入されることによって、取付台等に固着される。この場合に、各刷毛の断面形状が円形で、しかも周面が円滑形成されているため、植毛穴内に基部が圧入されている各刷毛どうし間の隙間が大きくなる。従って、互いに隣接する刷毛どうしの接触面積が小さい。この結果、この洗浄ブラシでは洗浄作業中に刷毛どうしが植毛穴内で刷毛の長さ方向または円周方向に位置ずれし、ついには植毛穴から抜け落ちるなどの不都合があった。従って、抜け落ちたこの刷毛が食器や食品収納容器に付着または残留することが起こる。
【０００７】
また、刷毛の断面形状が円形であるところから、刷毛一本当たりの先端部が食器や食品容器の被洗浄面と接触する面積が極めて小さく、被洗浄面に付着した汚れを掻き落として除去する能力が低いという不都合があった。
【０００８】
本考案は、かかる従来の問題点に着目してなされたものであり、その目的とするところは、刷毛の取付部である取付台の植毛穴などに圧入された刷毛束の各刷毛どうしが高い摩擦力にて相互に密接可能にすることで、食器などの洗浄作業中に前記植毛穴内から刷毛が抜け落ちることを確実に防止することができ、これによって洗浄時に食器や食品収納容器に刷毛が付着または残留することを回避できる洗浄ブラシを提供することにある。
【課題を解決するための手段】
【０００９】
前述した目的を達成するために、本考案に係る洗浄ブラシは、断面三角形で長尺に成形された強靭性の高い合成樹脂製の刷毛を複数本揃えて一組とし、かつ各刷毛の辺面どうしが当接する形で結束し、その刷毛束の一部が刷毛取り付け対象の取付部に圧入または緊縛によって固着されていることを特徴とする。
【００１０】
この構成により、刷毛取り付け対象の刷毛取付部に取り付けられた刷毛束のうち、互いに隣り合う刷毛どうしがそれぞれの平らな辺面で密接するため、この密接部分では相互の刷毛どうしが互いに大きな摩擦抵抗を持ち、結果として刷毛全体の結合力が高められる。このため、刷毛束の一部に無理な力が作用するなどして仮に僅かな緩みを生じても、いずれの刷毛も植毛穴から脱落することはない。この結果、この刷毛束を持つ洗浄ブラシを使って食器や食品収納容器などの洗浄を行った場合に、刷毛がその食器や食品収納容器に付着または残留することを回避することができる。
【００１１】
また、前記刷毛取り付け対象の取り付けが、刷毛植設台に形成されて、前記刷毛束の基部を圧入状態にて植設可能にする植毛穴である場合には、植毛穴内において隣接する各刷毛どうしが各辺面で大きい摩擦抵抗を以って接触し、従って刷毛のいずれが植毛穴の外への力を受けてもその外への移動は規制される。従って、各刷毛は刷毛束から分離することはなく、洗浄後の食器などに付着や残留することがなくなる。この結果、その食器等に持った食品に刷毛が混入する惧れが全くない。
【００１２】
また、前記刷毛取り付け対象が、前記刷毛束の中央部付近を挟圧保持するように撚り合わされた複数本の針金である場合にも、挟圧保持されて隣り合う刷毛どうしがこれらの各辺面で密接し、かついずれの刷毛も撚り合わされた針金間に緊縛されるため脱落することはない。この結果、前記針金間に挟圧保持されたこの刷毛束を持つ洗浄ブラシ、例えば、コップ洗いブラシや亀の子たわしといった洗浄ブラシへの利用が可能であり、この洗浄ブラシを使って底の深い容器、例えばコップや食器、食品収納容器などの洗浄を行った場合に、前記刷毛が針金間から脱落してその食器や食品収納容器に付着または残留することを確実に回避することができる。
【００１３】
更に、刷毛が三角形であるため、洗浄作業中に刷毛の長手方向に直角な端面の縁部（辺縁）の全長が被洗浄物の表面に当たることで、その被洗浄物に付着した汚れを効率的に掻き落とすことができる。
【考案の効果】
【００１４】
本考案によれば、刷毛取り付け対象の植毛穴や針金間に各刷毛どうしを各辺面で密接するように保持させることで、刷毛どうしの接触抵抗が格段に高まり、洗浄作業中に前記植毛穴や針金間から刷毛が抜け落ちることを確実に防止することができる。また、被洗浄物に付着した汚れを効率的に掻き落とすことができる。
【図面の簡単な説明】
【００１５】
【図１】本考案の一実施形態による洗浄ブラシの要部の拡大断面図である。
【図２】刷毛の拡大断面図である
【図３】刷毛の面接合の拡大断面図である
【図４】本考案の他の実施形態による洗浄ブラシを示す斜視図である。
【図５】図４に示す洗浄ブラシの拡大斜視図である。
【図６】本考案のさらに他の実施形態による洗浄ブラシを示す斜視図である。
【考案を実施するための形態】
【００１６】
本考案を実施するための最良の形態を添付の図面を参照して詳細に説明する。
【００１７】
図１において、洗浄ブラシ１１は、断面三角形に形成された刷毛１５と、この刷毛１５を結束した刷毛束１６と、この刷毛束１６を取り付る取付台１２と、複数の刷毛束１６を埴設したブラシ部１３とから構成される。これらのうち取付台１２は、硬質の合成樹脂製の板材から構成される。
【００１８】
取付台１２は、下面の複数箇所に刷毛束の取付部である植毛穴１４を有する。この植毛穴１４は取付台１２下面の全体または一部に設けられ、その配置パターンは、洗浄ブラシ１１としての用途により種々選択される。なお、この洗浄ブラシの用途に応じて、取付台１２の側面や上面にもその植毛穴１４が設置される場合がある。この植毛穴１４の形状は丸穴、楕円穴、矩形穴、四角形穴以上の多角形穴とすることができ、通常は容易に形成可能な丸穴とされる。
【００１９】
一方、前記ブラシ部１３は、図３に示すように、複数本の刷毛１５を束ねて刷毛束１６とし、更にこの刷毛束１６の複数組を並設したものである。刷毛束１６は複数本（多数本）の刷毛１５の端部が揃えられ、この刷毛１５が揃った端部を基端として、これが前記取付台１２下面の植毛穴１４内に圧入されている。この圧入の際にその基部に抜け止め用の圧着リングが嵌装される場合がある。
【００２０】
前記刷毛１５としては、ポリプロピレン、ポリイミドなどの合成樹脂で形成された線条体で、強靭性、弾力性に富み、しかも腰の強さを持った細長い線条材である。そして、かかる線条材が複数本束ねられて刷毛束１６とされ、その基部が前述のようにして植毛穴１４内に圧入される。この基部の圧入状態では各刷毛１５は隣り合うものどうしが側圧を受けた状態で互いに密接し、植毛穴１４内に容易に脱抜しないように安定保持される。刷毛１５は、本実施形態では、図２に示すように、断面三角形状をなし、図２（ａ）では三辺が等長の正三角形であり、同（ｂ）は縦長の二等辺三角形であり、同（ｃ）は横長の二等辺三角形である。
【００２１】
かかる断面三角形状の刷毛１５は、図３に示すように、前記植毛穴１４内にて互いに隣接するものどうしが密接する。具体的には、隣り合う刷毛１５の辺面（平面）どうし例えば面ａと、面ａが密接するように束ねられている。このため隣り合う各刷毛１５どうしが互いに相手に対して大きな面積で接し、これらの間には大きな摩擦抵抗が発生している。従って、仮にその植毛穴１４内で刷毛束１６の一部が緩んで、いずれかの刷毛１５に重力や無理な力が作用した場合でも、刷毛束１６から離れて脱抜する惧れはない。
【００２２】
従って、この様な刷毛束１６を持つ洗浄ブラシ１１が食器洗いや食品収納容器の洗浄に使用された場合にも、刷毛１５が抜けて食器や食品収納容器に付着したり残留したりして、これらに載置されまたは収納された食品にその刷毛１５が混入することを確実に防止することができる。これにより、これまで断面丸型の合成樹脂の刷毛１５からなる洗浄ブラシ１１を使った場合に起きていた、抜け落ちた刷毛の食品への異物混入問題を解消できる。
【００２３】
図４は、本考案の洗浄ブラシの他の実施形態を示す。この実施形態の洗浄ブラシ２１は、図５に示すようにね撚り合わせた２本の針金１７間の複数箇所に、前述のような刷毛束１６を挟圧保持させるようにして構成される。針金１７は、合成樹脂製の取手１８の一端に挿し込むようにして固着されている。この場合にも、刷毛束１６は複数本の三角形状の刷毛１５が束ねられる際に、隣り合うもの同士の辺面が密着するように当接される。
【００２４】
従って、その刷毛束１６を構成する刷毛１５どうしは、互いに大きな接触抵抗を互いに及ぼし合う関係になるので、前記針金１７間にあって所定圧で締め付けられている条件下では、刷毛１５が部分的または全部が脱落することはない。従って、この様な刷毛束１６を持つ洗浄ブラシ２１がびんやポットなどのそこが深い容器の洗浄に使用された場合に、刷毛１５の一部が抜けてそのびんやポット内に付着したり残留したりすることはない。従って、これらに収納された飲料水や液状物にその刷毛１５が混入することを確実に防止することができる。
【００２５】
図６は、本考案の更に他の実施形態を示す。この実施形態の洗浄ブラシ３１は、いわゆる亀の子たわしであり、図４に示した洗浄ブラシ２１で使用したものと同様に、撚り合わせた２本の針金１７間の複数箇所に、前述のような刷毛束１６を挟圧保持させるようにしたものからなる。また、針金１７は楕円形に成形されて、両端は互いに連結された形態となる。この場合にも、刷毛束１６は複数本の三角形状の刷毛１５が束ねられる際に、隣り合うもの同士の辺面が密着するように当接される。また、前述のように撚られる２本の針金１７間に各組の刷毛束１６が一組ずつ挟圧される
【００２６】
この場合においても、その刷毛束１６を構成する刷毛１５どうしは、断面三角形の辺面どうしで摩擦接触し、互いに大きな摩擦抵抗を及ぼし合う関係になるので、針金１７間にあって撚り加工により所定圧で緊縛され（締め付けられ）ている条件下では、刷毛１５の一部が脱落することはない。従って、かかる構成の刷毛束１６を持つ洗浄ブラシ３１は、食器や食品収納箱、あるいは種々の物や場所を洗浄するのに用いられ、この場合に刷毛１５の一部が抜けて食器や食品収納箱、あるいは種々の物や場所に付着したり残留したりすることを防止することができる。
【００２７】
以上のように、本実施形態の洗浄ブラシ１１は、断面が三角形の刷毛１５を使用し、該刷毛１５の複数本を一組として各刷毛１５の辺面ａどうしを当接させるように束ね、その束ねられた刷毛束１６の一部を刷毛取り付け対象１１の取付部１４に圧入または緊縛によって固着する構成とした。
【００２８】
これにより、前記当接（密接）部分では相互の刷毛１５どうしが互いに大きな摩擦抵抗を持ち、結果として刷毛１５全体の結合力が高められる。従って、刷毛１５束の一部に無理な力が作用するなどして仮に僅かな緩みを生じても、刷毛の一部が植毛穴から脱落することはない。この結果、この刷毛束１６を持つ洗浄ブラシ１１を使って食器や食品収納容器などの洗浄を行った場合に、前記刷毛１５がその食器や食品収納容器に付着または残留することを確実に回避することができる。
【００２９】
また、前記刷毛取り付け対象１１を、刷毛束１６の中央部付近を挟圧保持するように撚り合わされた複数本の針金１７間に挟圧したことで、隣り合う刷毛１５どうしがこれらの各辺面で密接するので、刷毛１５の一部が撚り合わされた針金１７間から脱落することはない。この結果、前記針金１７に挟圧保持されたこの刷毛束１６を持つ洗浄ブラシ２１、３１、例えば、コップ洗いブラシや亀の子たわしといった洗浄ブラシへの利用が可能にあり、この洗浄ブラシ２１、３１を使ってコップや食器、食品収納容器などの洗浄を行った場合に、前記刷毛１５が針金１７間から脱落してその食器や食品収納容器に付着または残留することを確実に回避できる。
【産業上の利用可能性】
【００３０】
本考案にかかる洗浄ブラシは、刷毛束の各刷毛どうしが高い摩擦力にて相互に密接可能となるため、洗浄作業中に刷毛の一部が刷毛束から抜け落ちることを確実に防止できるという効果を有し、食器や食品収納容器等の容器を洗浄するのに用いる洗浄ブラシ等に有用である。
【符号の説明】
【００３１】
１１，２１，３１…洗浄ブラシ、１２…取付台、１３…ブラシ部、１４…植毛穴、１５…刷毛、１６…刷毛束、１７…針金、１８…取手
【図１】
0003165373.tif 000003
【図２】
0003165373.tif 000004
【図３】
0003165373.tif 000005
【図４】
0003165373.tif 000006
【図５】
0003165373.tif 000007
【図６】
0003165373.tif 000008